(57)【要約】【課題】照射光による視認性をより高くすることが可能な照明装置を提供する。【解決手段】所定の照射範囲Ｓ内に光を照射する光源部１を点灯させる点灯回路部２と、少なくとも照射範囲Ｓ内における通行人Ｈの存在を検知する人感検知センサ部３と、該人感検知センサ部３によって通行人Ｈの存在が検知されていないときに光源部１が照射する光を第１の色温度に制御するとともに、人感検知センサ部３によって通行人Ｈの存在が検知されているときに光源部１が照射する光を上記第１の色温度よりも色温度の低い第２の色温度に制御する色温度制御部４とを備える。【選択図】図１
2012028272.tif 000002
【特許請求の範囲】
【請求項１】
所定の照射範囲内に光を照射する光源部を点灯させる点灯回路部と、少なくとも前記照射範囲内における人の存在を検知する人感検知センサ部と、該人感検知センサ部によって人の存在が検知されていないときに前記光源部が照射する光を第１の色温度に制御するとともに、前記人感検知センサ部によって人の存在が検知されているときに前記光源部が照射する光を前記第１の色温度よりも色温度の低い第２の色温度に制御する色温度制御部とを備えたことを特徴とする照明装置。
【請求項２】
前記光源部は、少なくとも第１の光源と、該第１の光源から照射される光よりも相対的に色温度の低い光を照射する第２の光源とを含み、前記色温度制御部は、前記第２の光源が照射する光を第１の出力にさせることで前記光源部が照射する光を前記第２の色温度にするとともに、前記第２の光源が照射する光を前記第１の出力よりも低くすることで、前記光源部が照射する光を前記第１の色温度に制御することを特徴とする請求項１に記載の照明装置。
【請求項３】
前記光源部は、前記第２の光源から照射される光が前記第１の光源から照射される光よりも前記照射範囲における中心部側でより色温度が低く、且つ前記第１の光源から照射される光が前記第２の光源から照射される光よりも、前記照射範囲における周部側でより色温度が高いことを特徴とする請求項２に記載の照明装置。
【請求項４】
前記光源部の前記第１の光源および前記第２の光源は、それぞれ色温度の高い発光部と、該発光部よりも色温度の低い発光部とを前記光源部の周辺部側から前記光源部の中央部側に向かって備え、前記第２の光源は、前記周辺部側から前記中央部側における同一領域で前記第１の光源よりも色温度の低い発光部を配置していることを特徴とする請求項１ないし請求項３に記載の照明装置。
【発明の詳細な説明】
【技術分野】
【０００１】
本発明は、人の存在を検知して照明を切り換える照明装置に関する。
【背景技術】
【０００２】
近年、「京都議定書」の締結・発効などに伴い、温室効果ガスの排出量の大幅な削減が求められており、各種の電気機器の低消費電力化が強力に進められている。そのため、通行人の安全などのために設けられた屋外公共照明たる街路灯や道路照明器具などに用いられる照明装置についても例外ではなく、より一層の低消費電力化が求められている。
【０００３】
この種の照明装置６１０として、たとえば、図６に示すように、所定の照射範囲内に光を照射する光源部６１と、光源部６１の点灯のための電力を供給する点灯回路部６２と、上記照射範囲の平均水平面照度を、人感検知センサ部６３によって人（通行人Ｈ）の存在が検知されているときには第１の照度とし、人感検知センサ部６３によって通行人Ｈの存在が検知されていないときには第１の照度よりも低く、第１の照度の２０％〜５０％とした第２の照度に制御する照度制御部６４とを備えたものが知られている（たとえば、特許文献１）。
【０００４】
照明装置６１０は、図６（ａ）に示すように、光源部６１が点灯回路部６２に接続されており、点灯回路部６２が照度制御部６４に接続されている。また、照明装置６１０の照度制御部６４は、人感検知センサ部６３および光源部６１から照射される照射範囲の平均水平面照度を検知する照度センサ６５の出力に応じて点灯回路部６２を制御している。照明装置６１０は、図６（ｂ）に示すように、電柱Ｐに設置されて、人感検知センサ部６３により通行人Ｈの存在を検出したときに光源部６１を明るく点灯させて照明装置６１０から照射される光の照度を高くする。また、照明装置６１０は、人感検知センサ部６３により通行人Ｈの存在が検知されていないときに、光源部６１の明るさを下げることで照明装置６１０から照射される光の照度を低くする。
【０００５】
照明装置６１０は、通行人Ｈの存在を検知して光源部６１から照射される光の照度を特定の照度範囲で変化させることにより、通行人Ｈに不快感を与えることなく、路上での犯罪の発生を抑制する威嚇効果を持たせることができる、としている。上述の照明装置６１０では、通行人Ｈの存在が検知されていないときに、光源部６１から照射される光の照度を低下させることから消費電力の抑制にも寄与する。
【先行技術文献】
【特許文献】
【０００６】
【特許文献１】特開２００５−２５１７２４号公報
【発明の概要】
【発明が解決しようとする課題】
【０００７】
ところで、街路灯などの照明装置６１０が点灯している環境下の明るさにおいて、人間の目の感度状態は、薄明視と呼ばれている状態になっている。薄明視は、明所視(photopic vision)と、暗所視(scotopicvision)との中間の視覚状態であり、周囲環境の明るさが、たとえば、０．００１〜１０ｃｄ／ｍ２の状態の時になる。
【０００８】
また、人間の目の光受容器には、明るい所で色を見分ける光感度が低い錐体と呼ばれる視細胞と、明暗だけを見分け暗い所で働く光感度の高い桿状体と呼ばれる視細胞がある。
【０００９】
暗所視の環境下で機能する桿状体と、明所視と呼ばれる明るい環境下で機能する錐体とは、分光視感効率が異なっている。人間の目は、一般に、明所視では５５５ｎｍ、暗所視では５０７ｎｍがピークとなる分光特性を有している。また、人間の目は、薄明視において、明所視で活動する錐体と、暗所視で活動する桿状体との両方が活動する。
【００１０】
そのため、明所視の状態と、暗所視の状態とでは、照射される光の分光分布により人間が感じる明るさが異なってしまう。特に、薄明視の場合、人間の目の感度は、人間が順応している周囲環境の明るさにより感度特性が変化する傾向にある。
【００１１】
すなわち、照明装置６１０は、照明装置６１０の光源部６１から同じ分光分布で照射される光の明るさを変化させた場合、通行人Ｈが感じる明るさが光束量の変化以上に異なることになる。
【００１２】
照明装置６１０は、明所視の状態での視感度を基準とした光束や照度、輝度などの測光値の値に基づいて、光源部６１を設計されていても、人間の目には、薄明視において十分な明るさとは感じられない場合がある。また、照明装置６１０を、単に、人間が所定の十分な明るさと感じる照度で点灯制御させる場合では、照明装置６１０は不必要な電力を消費している恐れがある。そのため、照明装置６１０は、光源部６１から照射される光の視認性が高まれば、結果的に、消費電力を低くすることも可能となる。
【００１３】
本発明は上記事由に鑑みて為されたものであり、その目的は、照射光による視認性をより高くすることが可能な照明装置を提供することにある。
【課題を解決するための手段】
【００１４】
本発明の照明装置は、所定の照射範囲内に光を照射する光源部を点灯させる点灯回路部と、少なくとも上記照射範囲内における人の存在を検知する人感検知センサ部と、該人感検知センサ部によって人の存在が検知されていないときに上記光源部が照射する光を第１の色温度に制御するとともに、上記人感検知センサ部によって人の存在が検知されているときに上記光源部が照射する光を上記第１の色温度よりも色温度の低い第２の色温度に制御する色温度制御部とを備えたことを特徴とする。
【００１５】
この照明装置において、上記光源部は、少なくとも第１の光源と、該第１の光源から照射される光よりも相対的に色温度の低い光を照射する第２の光源とを含み、上記色温度制御部は、上記第２の光源が照射する光を第１の出力にさせることで上記光源部が照射する光を上記第２の色温度にするとともに、上記第２の光源が照射する光を上記第１の出力よりも低くすることで、上記光源部が照射する光を上記第１の色温度に制御することが好ましい。
【００１６】
この照明装置において、上記光源部は、上記第２の光源から照射される光が上記第１の光源から照射される光よりも上記照射範囲における中心部側でより色温度が低く、且つ上記第１の光源から照射される光が上記第２の光源から照射される光よりも、上記照射範囲における周部側でより色温度が高いことが好ましい。
【００１７】
この照明装置において、上記光源部の上記第１の光源および上記第２の光源は、それぞれ色温度の高い発光部と、該発光部よりも色温度の低い発光部とを上記光源部の周辺部側から上記光源部の中央部側に向かって備え、上記第２の光源は、上記周辺部側から上記中央部側における同一領域で上記第１の光源よりも色温度の低い発光部を配置していることが好ましい。
【発明の効果】
【００１８】
本発明の照明装置では、照射光による視認性をより高くすることが可能になるという効果がある。
【図面の簡単な説明】
【００１９】
【図１】実施形態１の照明装置を示し、（ａ）は概略構成ブロック図、（ｂ）は概略説明図、（ｃ）は要部平面図である。
【図２】同上の照明装置の点灯動作を示し、（ａ）は動作説明図、（ｂ）は動作タイミングを示すタイミング図である。
【図３】実施形態２の照明装置の要部を示し、（ａ）は要部平面図、（ｂ）は要部構成平面図、（ｃ）は別の要部構成平面図である。
【図４】同上の照明装置の概略構成ブロック図である。
【図５】同上の照明装置の動作説明図である。
【図６】従来の照明装置を示し、（ａ）は構成ブロック図、（ｂ）は動作説明図である。
【発明を実施するための形態】
【００２０】
（実施形態１）
以下、本実施形態の照明装置について図１および図２を用いて説明する。
【００２１】
本実施形態の照明装置１０は、図１に示すように、所定の照射範囲Ｓ内に光を照射する光源部１を点灯させる外部の商用電源などと接続された点灯回路部２と、少なくとも照射範囲Ｓ内における人（たとえば、通行人Ｈ）の存在を検知する人感検知センサ部３と、該人感検知センサ部３によって通行人Ｈの存在が検知されていないときに光源部１が照射する光を第１の色温度（たとえば、昼光色）に制御するとともに、人感検知センサ部３によって通行人Ｈの存在が検知されているときに光源部１が照射する光を上記第１の色温度よりも色温度の低い第２の色温度（たとえば、電球色）に制御する色温度制御部４とを備えている。
【００２２】
より具体的には、本実施形態の照明装置１０は、図１（ｂ）に示すように、路傍、公園や駐車場に立てられた電柱や鉄柱などの支柱Ｐに取り付けている。照明装置１０は、直方体状の灯具本体２１の内部に光源部１を保持している。照明装置１０は、灯具本体２１の前面側にカバー２２を着脱可能に備えている。また、照明装置１０における人感検知センサ部３は、少なくとも光源部１から照射された光の照射範囲Ｓ内における通行人Ｈの存在を検知しやくするため、支柱Ｐの高所に取り付けられた照明装置１０の先端部に設けている。
【００２３】
本実施形態の照明装置１０は、図１（ｃ）に示すように、灯具本体２１内に光源部１として、少なくとも第１の光源１ａと、該第１の光源１ａから照射される光よりも相対的に色温度の低い光を照射する第２の光源１ｂとを保持している。第１の光源１ａは、昼光色の光が発光可能な発光装置１１であって、長方形状の配線基板１ｃの一表面側に複数個（ここでは、１２個）設けている。また、第２の光源１ｂは、電球色の光が発光可能な発光装置１２であって、長方形状の配線基板１ｃの一表面側に複数個（ここでは、１２個）設けている。光源部１の第１の光源１ａたる発光装置１１と、第２の光源１ｂたる発光装置１２とは、平面視において、互いに入れ子に２列で配置している。なお、照明装置１０は、図ししていないが、光源部１に給電可能な給電ユニットとして点灯回路部２および色温度制御部４とを、光源部１を介してカバー２２と反対側の灯具本体２１の内部に収納している。
【００２４】
このような照明装置１０に用いられる光源部１としては、通電により光を発光可能な固体発光素子を備えた発光装置１１，１２を用いて構成することができる。固体発光素子としては、たとえば、ＬＥＤ(light emitting diode)チップや有機ＥＬ（electroluminescent）素子などが挙げられる。発光装置１１，１２は、たとえば、青色光を発光するＬＥＤチップと、青色光を吸収して、より長波長の蛍光を発光する蛍光体とを備えた白色光が発光可能なものが挙げられる。このような発光装置１１，１２は、青色光を発光する同種のＬＥＤチップを用いながら、蛍光体の含有量や蛍光体の種類を変えることにより、発光装置１１，１２から放射される光を所定の色温度に変えることができる。
【００２５】
本実施形態の照明装置１０では、薄明視の環境下における人間の受容体の感度に合わせて光源部１の色温度を変えている。そのため、光源部１の第１の光源１ａおよび第２の光源１ｂとして、青色光を発光する同種のＬＥＤチップを備えた発光装置１１，１２を用いた場合、発光装置１１と発光装置１２とは、異なる種類の蛍光体を用いて色温度の異なる光を発光可能なものが好ましい。すなわち、発光装置１１，１２は、発光装置１１から放射させる光のうち、主として発光装置１１の蛍光体から放射される蛍光の発光スペクトルが、発光装置１２から放射させる光のうち、主として発光装置１２の蛍光体から放射される蛍光の発光スペクトルよりも短波長側となる蛍光体を用いることが好ましい。あるいは、発光装置１１，１２は、それぞれ複数種の蛍光体を備えて構成することもできる。この場合、発光装置１１，１２は、発光装置１１から放射させる光のうち、主として発光装置１１の蛍光体から放射される蛍光の発光スペクトルが、発光装置１２から放射させる光のうち、主として発光装置１２の蛍光体から放射される蛍光の発光スペクトルよりも短波長側となるように、より短波長の蛍光を発する蛍光体の含有量を多くすることが好ましい。
【００２６】
青色光が発光可能なＬＥＤチップとしては、たとえば、ＳｉＣ基板上にｎ型の窒化ガリウム系化合物半導体層、Ｉｎが含有された窒化ガリウム系化合物半導体からなる発光層、ｐ型の窒化ガリウム系化合物半導体層が順に積層させたものを用いることができる。ＬＥＤチップは、ｐ型の窒化ガリウム系化合物半導体層と電気的に接続されるアノード電極と、ＳｉＣ基板に形成されるカソード電極とをそれぞれ設ければよい。
【００２７】
ＬＥＤチップからの青色光を吸収して、異なる色調の光を発光する蛍光体として、たとえば、Ｃｅで付活されたＹ３Ａｌ５Ｏ１２蛍光体やＣｅで付活されたＴｂ３Ａｌ５Ｏ１２蛍光体などのアルミネート系の蛍光体のほか、Ｅｕで付活されたＢａ２ＳｉＯ４蛍光体やＥｕで付活された（ＳｒＢａ）２ＳｉＯ４蛍光体などの珪酸塩系の蛍光体、Ｅｕで付活されたＣａＡｌＳｉＮ３蛍光体、Ｅｕで付活されたＳｒ２Ｓｉ５Ｎ８蛍光体、Ｅｕで付活されたＣａ２Ｓｉ５Ｎ８蛍光体、Ｅｕで付活されたＳｒＳｉ７Ｎ１０蛍光体Ｅｕで付活されたＣａＳｉ７Ｎ１０蛍光体などの窒化物系の蛍光体を採用することもできる。
【００２８】
発光装置１１，１２は、ＬＥＤチップと、蛍光体とを適宜に組み合わせることにより、たとえば、相関色温度が６５１０Ｋの昼光色の光、５０３０Ｋの昼白色の光、４１７０Ｋの白色の光、３４６０Ｋの温白色の光や２８４０Ｋの電球色の光を出射させることができる。
【００２９】
本実施形態の照明装置１０における光源部１は、第１の光源１ａとして、青色光が発光可能な窒化ガリウム系化合物半導体を有するＬＥＤチップと、青色光を吸収して黄緑色光を発光するＣｅで付活されたＹ３Ａｌ５Ｏ１２蛍光体とを備えた発光装置１１を用いている。また、光源部１は、第２の光源１ｂとして、青色光が発光可能な窒化ガリウム系化合物半導体を有するＬＥＤチップと、青色光を吸収して第１の光源１ａとなる発光装置１１に用いられる蛍光体よりも、より長波長の蛍光を発するＥｕで付活されたＳｒＣａＳｉＮ蛍光体と、青色光を吸収して黄緑色光を発光するＣｅで付活されたＹ３Ａｌ５Ｏ１２蛍光体とを備えた発光装置１２を用いている。
【００３０】
各発光装置１１，１２は、ＬＥＤチップを図示しない実装基板上に実装させて構成することができる。ＬＥＤチップは、上述の蛍光体をそれぞれ含有した透光性樹脂で封止されている。なお、透光性樹脂は、ＬＥＤチップからの光の取り出し効率を高めることができると共に、ＬＥＤチップをワイヤ（図示していない）などで電気的に接続させて給電経路を形成する場合、ワイヤを保護することもできる。
【００３１】
発光装置１１，１２は、上述の構成だけに限らず、たとえば、共通の外形を持ち、内部に窪んだ凹部と、該凹部の内底面上に一対の導体パターン（図示していない）が形成されたパッケージの内部に収納させたものを用いてもよい。発光装置１１，１２は、上記パッケージにおける上記凹部の内底面にＬＥＤチップを実装させればよい。また、発光装置１１，１２は、上記凹部内に上述の蛍光体が含有された透光性樹脂を配置すればよい。
【００３２】
発光装置１１，１２は、上記パッケージにおける上記凹部の内底面上の上記一対の導体パターン（たとえば、最表面がＡｕでメッキされた導体パターン）を利用して、ＬＥＤチップの給電経路を構成することができる。
【００３３】
発光装置１１，１２のパッケージは、アルミナや窒化アルミニウムなどを用いたセラミック基板、Ｃｕ、ＡｌやＦｅなどの金属材料を用いた金属ベース基板やエポキシ樹脂基板などを用いることができる。また、発光装置１１，１２のパッケージは、たとえば、アクリル樹脂やエポキシ樹脂などの樹脂材料で一対の金属導体を一体成形させたものを用いてもよい。この場合、発光装置１１，１２は、ＬＥＤチップと一対の金属導体とをそれぞれ電気的に接続させ、樹脂材料から露出する一対の金属導体を発光装置１１，１２の外部電極として機能させてもよい。
【００３４】
発光装置１１，１２は、配線基板１ｃの一表面上に形成させた図示していない配線パターンとＡｕＳｎなどで適宜に電気的に接続させて給電経路を形成すればよい。光源部１は、配線基板１ｃ上に配置させた第１の光源１ａたる複数個の発光装置１１を、それぞれ直列接続している。同様に、光源部１は、配線基板１ｃ上に配置させた第２の光源１ｂたる複数個の発光装置１２を、それぞれ直列接続している。第１の光源１ａと第２の光源１ｂとは、給電により、それぞれ独立して点灯可能なように配線基板１ｃの上記配線パターンと電気的に接続している。
【００３５】
光源部１の第１の光源１ａおよび第２の光源１ｂは、色温度制御部４からの信号に基づいた点灯回路部２からの給電により点灯が制御される。なお、光源部１は、ＬＥＤチップを用いた発光装置１１，１２だけに限られず、蛍光灯などの放電灯、水銀灯や白熱電灯などを用いることができる。蛍光灯などの放電灯を利用する場合、光源部１は、色温度を変えるために蛍光体の種類を変えることで、光源部１の色温度を所定の色温度に設定することができる。また、白熱電灯を利用する場合、光源部１は、着色フィルタを備えた白熱電灯を光源の色温度を所定の色温度に変えることができる。光源部１として蛍光灯や白熱電灯を用いた場合は、蛍光灯や白熱電灯からの光を照射範囲Ｓに効率よく照射さえるため、灯具本体２１に蛍光灯や白熱電灯からの光を反射する反射板を適宜に設ければよい。
【００３６】
なお、光源部１を構成する第１の光源１ａと、第２の光源１ｂとは、必ずしも同一の種類の光源とする必要はなく、たとえば、昼白色の光を発光する第１の光源１ａをＬＥＤチップを用いた発光装置１１で構成するとともに、温白色の光を発光する第２の光源１ｂを蛍光灯で構成してもよい。
【００３７】
点灯回路部２は、光源部１の種類に応じて適宜に設定すればよく、たとえば、ＬＥＤチップを用いた発光装置１１，１２を第１の光源１ａや第２の光源１ｂとする場合、外部から供給される商用交流電力を直流電力に変換するＡＣ−ＤＣコンバータ、限流抵抗や各発光装置１１，１２に流れる電流を制御する駆動制御部などにより適宜に構成すればよい。なお、照明装置１０の点灯回路部２は、光源部１に供給する電源として太陽電池や風力発電機などと接続させる場合、上述のＡＣ−ＤＣコンバータの代わりにＤＣ−ＤＣコンバータを用いて構成すればよい。また、光源部１として蛍光灯を用いた場合、照明装置１０の点灯回路部２は、インバータ回路を用いた電子安定器を用いればよい。
【００３８】
本実施形態の照明装置１０において、光源部１は、透光性を有する材料からなり光源部１の前面側を覆うカバー２２を有する灯具本体２１の内部に配設させている。光源部１、点灯回路部２および色温度制御部４は、適宜に、灯具本体２１内に収納すればよいが、必ずしも光源部１と一体として灯具本体２１内に収納する必要もない。すなわち、照明装置１０は、光源部１、点灯回路部２、人感検知センサ部３や色温度制御部４がそれぞれ点検し易いように、光源部１を収納する灯具本体２１と人感検知センサ部３や色温度制御部４などを収納する器体とを別体としてもよい。
【００３９】
本実施形態の照明装置１０に用いられる人感検知センサ部３は、たとえば、通行人Ｈから発せられる熱線を検知する焦電センサを備えたセンサユニットで構成することができる。人感検知センサ部３を構成するセンサたる焦電センサは、光源部１から照射された光の照射範囲Ｓ内における通行人Ｈの存在を検知しやくするため、高所となる支柱Ｐに取り付けられた照明装置１０の先端部に設けている。なお、光源部１から照射される光の照射範囲Ｓは、任意に設定すればよく、必ずしも光源部１からの光が全て届く範囲とする必要もなく、光源部１から照射される光が所定の照度を保つ範囲に設定してもよい。
【００４０】
なお、人感検知センサ部３のセンサは、１個だけに限られず、複数個配置させてもよい。この場合、照明装置１０は、各センサの出力を色温度制御部４に入力すればよい。各センサは、それぞれ灯具本体２１に対して向きを可変としてあり、各センサの向きをそれぞれ変えることによって、検知範囲を変更可能とすることができる。すなわち、各センサの向きを互いに異ならせることにより、人感検知センサ部３の検知範囲を広くすることが可能となる。したがって、人感検知センサ部３は、光源部１から光が照射される照射範囲Ｓよりも広くさせてもよい。
【００４１】
たとえば、照明装置１０を街路灯として隣接して複数個配置させる場合、照明装置１０は、各照明装置１０の光源部１から光が照射される照射範囲Ｓよりも広い検知範囲とすることで、検知範囲同士を重ね合わせることもできる。これにより、照明装置１０は、通行人Ｈの移動に先立って、通行人Ｈの移動方向における各照明装置１０の光源部１から照射される色温度を変えることができる。
【００４２】
なお、人感検知センサ部３としては、焦電センサを備えたものだけに限られず、ＣＣＤやＣＭＯＳなどの画像センサを備えたものでもよい。同様に、人感検知センサ部３としては、赤外線カメラや熱画像センサなどにより、通行人Ｈの存在の有無を検知し検知結果の信号を無線や有線により色温度制御部４に伝送できるものでもよい。
【００４３】
本実施形態の照明装置１０に用いられる色温度制御部４は、光源部１の点灯時に、点灯回路部２を制御して光源部１の第１の光源１ａや第２の光源１ｂに供給される電力を調整することが可能なものである。
【００４４】
本実施形態の照明装置１０の色温度制御部４は、たとえば、人感検知センサ部３によって通行人Ｈが検知されていないときに、光源部１の第１の光源１ａのみを点灯させる。これにより、照明装置１０の照射範囲Ｓにおける光の色温度は、第１の色温度となる。また、照明装置１０の色温度制御部４は、人感検知センサ部３によって通行人Ｈが検知されているときに、光源部１の第１の光源１ａに加えて第２の光源１ｂも点灯させる。これにより、照明装置１０の照射範囲Ｓにおける光の色温度は、照射範囲Ｓにおける光の色温度が第１の色温度よりも低い第２の色温度となる。
【００４５】
言い換えれば、色温度制御部４は、第２の光源１ｂたる発光装置１２が放射する光を第１の出力にさせることで光源部１が照射する光を第２の色温度にするとともに、第２の光源１ｂたる発光装置２１が放射する光を上記第１の出力よりも低くすることで、光源部１が照射する光を上記第１の色温度に制御するように構成している。
【００４６】
すなわち、本実施形態の照明装置１０に用いられる色温度制御部４は、光源部１から照射される光の照度と、光源部１から照射される光の色温度とを同時に調整することができる。このような色温度制御部４は、マイクロコンピュータなどを用いて構成することができる。すなわち、色温度制御部４は、マイクロコンピュータなどにより、人感検知センサ部３からの通行人Ｈの有無の状態を知らせる信号に基づいて、点灯回路部２を制御し、光源部１から照射される光の色温度を調整することができる。
【００４７】
本実施形態の照明装置１０における色温度制御部４は、色温度制御手段として機能する。これに加えて、照明装置１０における色温度制御部４は、別途に図示しないフォトダイオードからなる照度センサを備えてもよい。色温度制御部４は、照度センサからの信号に基づき照明装置１０の周囲環境の明るさを判断して、光源部１から照射させる光の強度を調整する照度制御手段と兼用することもできる。色温度制御部４は、たとえば、照度センサの出力が所定の閾値以上であるとき、つまり周囲が明るい昼間などに光源部１を消灯させ、照度センサの出力が所定の閾値未満であるとき、つまり周囲が暗い夜間などに光源部１を点灯させる電子回路を備えた構成とすることができる。
【００４８】
次に、本実施形態の照明装置１０を街路灯として、複数個用いた場合について、図２を用いて説明する。
【００４９】
図２に示す照明装置１０は、街路灯として支柱Ｐの上部に設置している。照明装置１０は、照明装置１０の光源部１から照射される光の照射範囲Ｓが互いに重なるように、隣接して複数個（ここでは、２個）配置させている。
【００５０】
照明装置１０は、たとえば、図２（ａ）における右側の照明装置１０で示すように、人感検知センサ部３が通行人Ｈの有無の検知結果に関らず、第１の光源１ａが照射範囲Ｓを昼光色となる光（図２（ａ）の破線の矢印を参照）で照射して、街路灯として最低限の明るさを確保している。つまり、照明装置１０は、光源部１の点灯時に点灯回路部２から電力を常時に出力（図２（ｂ）の破線を参照）させて、照明装置１０の相対的に色温度の高い第１の光源１ａから常時に昼光色となる光を照射している。
【００５１】
また、照明装置１０は、図２（ａ）における左側の照明装置１０で示すように、人感検知センサ部３が通行人Ｈを検出すると、点灯回路部２が第１の光源１ａに加えて、第１の光源１ａよりも相対的に色温度の低い第２の光源１ｂを点灯して電球色の光（図２（ａ）の一点鎖線の矢印を参照）を照射する。つまり、照明装置１０は、人感検知センサ部３が通行人検出時だけ、点灯回路部２から電力が出力（図２（ｂ）の一点鎖線を参照）されて、相対的に色温度の低い第２の光源１ｂを点灯させている。これにより、照明装置１０は、第１の光源１ａおよび第２の光源１ｂが照射範囲Ｓを照射して光源１から照射される光の明るさを、通行人Ｈがいないときと比較して明るく且つ色温度を低くすることができる。
【００５２】
本実施形態の照明装置１０は、人感検知センサ部３が通行人Ｈを検知していない場合、光源部１が第１の光源１ａだけを点灯しているので、光源部１が第１の光源１ａおよび第２の光源１ｂを点灯させる場合よりも、明るさが低くなるが消費電力を抑制できる。
【００５３】
しかしながら、本実施形態の照明装置１０は、薄明視の状態における比較的明るい場合、第１の光源１ａが人間の薄明視感度が高くなる色温度の高い昼光色の光を照射する。これにより、照明装置１０は、単に、明所視の状態における人間の目の視感度で設計した光源部の出力を低下させた場合と比較して、薄明視において人間の目の視認性を高くすることが可能となる。
【００５４】
そのため、本実施形態の照明装置１０は、明所視における目の感度に合わせた光源部の出力を単に低下させた場合と比較して、薄明視において明所視における目の感度に合わせた光源と同等の視認性を確保しつつ、消費電力を抑制することも可能となる。
【００５５】
また、照明装置１０は、第１の光源１ａに加えて第２の光源１ｂが光を照射することにより、照射範囲Ｓにおける明るさが上がる。照明装置１０は、第１の光源１ａだけで同じ明るさとする場合に比較して、第１の光源１ａおよび第２の光源１ｂを点灯させた明るさにおける薄明視感度が高くなるように、光源部１の第１の光源１ａと、第２の光源１ｂとの分光分布をそれぞれ設定している。これにより、照明装置１０は、薄明視の状態において、より明るさが暗い状況下では、より明るい状況下よりも短波長成分の光を多くすることにより、同じ光束量でも明るく感じさせることができる。
【００５６】
なお、照明装置１０は、図２（ｂ）に示すように、通行人Ｈが通行するたびに、色温度制御部４が、単に、第２の光源１ｂの点灯や消灯の制御を断続的に急激に行うだけでなく、色温度制御部４が、第２の光源１ｂの点灯をフェードインできるように点灯回路部２を制御させてもよい。同様に、色温度制御部４は、第２の光源１ｂの消灯をフェードアウトできるように点灯回路部２を制御させてもよい。
【００５７】
これにより、照明装置１０は、点灯回路部２が第２の光源１ｂの点灯や消灯をフェードインやフェードアウトして、光源部１の第２の光源１ｂをなめらかに点灯や消灯することにより第２の光源１ｂの点灯や第２の光源１ｂの消灯時における通行人Ｈの違和感を低減させることが可能となる。
【００５８】
照明装置１０は、点灯回路部２が第２の光源１ｂの点灯や消灯をフェードインやフェードアウトさせるため、たとえば、色温度制御部４に、所定時間における点灯時間と消灯時間の比率を変えて、第２の光源１ｂの出力をＰＷＭ制御する回路を備えさせればよい。
【００５９】
また、照明装置１０は、人感検知センサ部３に通行人Ｈが検知されなくなった場合、直ちに第１の光源１ａだけで点灯させる場合だけでなく、人感検知センサ部３に通行人Ｈが検知されなくなった後も所定の保持時間（たとえば、１０秒）の間は第２の光源１ｂの点灯を維持するようにしてもよい。
【００６０】
なお、本実施形態の照明装置１０は、第１の光源１ａを常時点灯させるとともに、人感検知センサ部３が通行人Ｈを検知した場合だけ第２の光源１ｂを第１の光源１ａに加えて点灯させる場合に限られない。すなわち、照明装置１０は、通行人Ｈを検知しない場合に第１の光源１ａを点灯させるとともに、人感検知センサ部３が通行人Ｈを検知した場合に第２の光源１ｂだけを点灯させるように色温度制御部４が点灯回路部２を制御してもよい。
【００６１】
本実施形態の照明装置１０は、通行人Ｈの存在の有無により光源部１から照射させる光の明るさを変化させるだけに限られず、光源部１から照射させる光の色温度を、それぞれの明るさでの薄明視の状態に合わせた分光分布としている。これにより、本実施形態の照明装置１０は、薄明視の状況下において、照明光による視認性がより高く、且つ消費電力を低くすることが可能とすることができる。
【００６２】
（実施形態２）
本実施形態の照明装置１０は、図１で示した実施形態１の２種類の発光装置１１，１２を備えた光源部１を用いる代わりに、図３に示す、複数種（ここでは、４種類）の発光装置１１，１２，１３，１４を備えた光源部１を用いた点が異なる。なお、実施形態１と同様の構成要素には、同一の符号を付して説明を適宜省略する。
【００６３】
本実施形態の照明装置１０に用いられる光源部１は、図３（ａ）に示すように、灯具本体２１内に光源部１として、複数個の発光装置１１，１２，１３，１４が矩形状の配線基板１ｃの一表面側に配置させている。照明装置１０の光源部１は、少なくとも第１の光源１ａ（図３（ｂ）を参照）と、該第１の光源１ａから照射される光よりも相対的に色温度の低い光を照射する第２の光源１ｂ（図３（ｃ）を参照）とを保持している。光源部１は、第１の光源１ａとして、昼光色の光が発光可能な発光装置１１、昼白色の光が発光可能な発光装置１３および温白色の光が発光可能な発光装置１４を備えている。第１の光源１ａの各発光装置１１，１３，１４は、矩形状の配線基板１ｃの一表面側にそれぞれ複数個（ここでは、１２個づつ）設けている。また、光源部１は、第２の光源１ｂとして、電球色の光が発光可能な発光装置１２、昼白色の光が発光可能な発光装置１３および温白色の光が発光可能な発光装置１４を備えている。第２の光源１ｂの各発光装置１２，１３，１４は、矩形状の配線基板１ｃの一表面側に複数個（ここでは、１２個づつ）設けている。
【００６４】
光源部１の第１の光源１ａは、白色光より相対的に色温度の高い発光部たる発光装置１１，１３と、該発光部よりも色温度の低い発光部たる発光装置１４とを光源部１の周辺部側から光源部の中央部側に向かって備えている。また、光源部１の第２の光源１ｂは、白色光より相対的に色温度の高い発光部たる発光装置１３と、該発光部よりも色温度の低い発光部たる発光装置１２，１４とを光源部１の周辺部側から光源部の中央部側に向かって備えている。
【００６５】
さらに、上記周辺部側から上記中央部側における同一領域で、第２の光源１ｂは、第１の光源１ａの発光装置１１よりも色温度の低い発光装置１３を配置している。また、上記周辺部側から上記中央部側における同一領域で、第２の光源１ｂは、第１の光源１ａの発光装置１３よりも色温度の低い発光装置１４を配置している。同様に、上記周辺部側から上記中央部側における同一領域で、第２の光源１ｂは、第１の光源１ａの発光装置１４よりも色温度の低い発光装置１２を配置している。
【００６６】
照明装置１０は、一般に、照射範囲Ｓにおいて光源部１から照射された光の略直下となる中心部の明るさを明るく、光源部１の直下から周辺に行くほど暗くなるように設計している。そのため、照明装置１０は、光源部１の照射範囲Ｓ内においても明るさに応じて人間の目の感度が異なる。
【００６７】
本実施形態の照明装置１０における光源部１は、図３（ａ）に示すように、第１の光源１ａおよび第２の光源１ｂとを備えている。光源部１の第１の光源１ａは、色温度の高い発光部として発光装置１１、該発光装置１１よりも色温度の低い発光部として発光装置１４を備えている。発光装置１１と発光装置１４との間に、発光装置１１が発光する光の色温度と発光装置１４が発光する光の色温度との間の色温度を発光する発光装置１３を配置している。また、光源部１の第２の光源１ｂは、色温度の高い発光部として発光装置１３、該発光装置１３よりも色温度の低い発光部として発光装置１２を備えている。発光装置１３と発光装置１２との間に、発光装置１３が発光する光の色温度と発光装置１２が発光する光の色温度との間の色温度を発光する発光装置１４を配置している。光源部１は、平面視において、光源部１のより中央部側に、第２の光源１ｂが第１の光源１ａの発光部たる発光装置１１，１３，１４よりも色温度の低い発光部たる発光装置１３，１４，１２をそれぞれ配置している
そのため、本実施形態の照明装置１０の光源部１は、第２の光源１ｂから照射される光が第１の光源１ａから照射される光よりも照射範囲Ｓにおける中心部側でより色温度が低く、且つ第１の光源１ａから照射される光が第２の光源１ｂから照射される光よりも、照射範囲Ｓにおける周部側でより色温度が高くなる。すなわち、光源部１は、照射範囲Ｓ内において、それぞれの明るさレベルに合わせて中心部側から周辺部に行くほど色温度が高くなるように、第２の光源１ｂおよび第１の光源１ａを配光設計している。
【００６８】
これにより、本実施形態の照明装置１０は、同じ構成の照明装置１０ａ，１０ｂを図４に示す街路灯のように隣接して配置させる場合、通行人Ｈの路面での進行方向（図４中の左側から右側）において、照射範囲Ｓの中心部側から外周辺部側に向かうにつれ領域Ａ，Ｂ，Ｃ（領域ａ，ｂ，ｃ）の順に色温度が順に高くなるように、光源部１から光を照射させることができる。
【００６９】
ここで、照明装置１０は、たとえば、人感検知センサ部３が通行人Ｈの有無の検知結果に関らず、照明装置１０の相対的に色温度の高い第１の光源１ａたる各発光装置１１，１３，１４を常時に点灯している。第１の光源１ａたる各発光装置１１，１３，１４は、それぞれ図４の領域ａ、領域ｂ、領域ｃに放射している（図４の右側の照明装置１０ａを参照）。なお、図４の一点差線で囲まれた領域ａは、発光装置１４からの温白色の光が多く放射されている。また、図４の一点差線と二点鎖線とで囲まれた領域ｂは、発光装置１３からの昼白色の光が多く放射されている。さらに、図４の二点差線と破線とで囲まれた領域ｃは、発光装置１１からの昼光色の光が多く放射されている。
【００７０】
これにより、照明装置１０は、第１の光源１ａが照射範囲Ｓを照射して街路灯として最低限の明るさを確保している（図４の右側の照明装置１０ａを参照）。
【００７１】
また、照明装置１０は、人感検知センサ部３が通行人Ｈを検出すると、点灯回路部２が第１の光源１ａよりも相対的に色温度の低い第２の光源１ｂたる発光装置１２，１３，１４を点灯させる。第２の光源１ｂたる発光装置１２，１３，１４は、それぞれ図４の領域Ａ、領域Ｂ、領域Ｃに放射する（図４の左側の照明装置１０ｂを参照）。ここで、図４の一点鎖線で囲まれた領域Ａは、発光装置１２からの電球色の光が多く放射されている。また、図４の一点鎖線と二点鎖線とで囲まれた領域Ｂは、発光装置１４からの温白色の光が多く放射されている。さらに、図４の二点鎖線と破線とで囲まれた領域Ｃは、発光装置１３からの昼白色の光が多く放射されている。
【００７２】
これにより、照明装置１０は、第１の光源１ａおよび第２の光源１ｂが照射範囲Ｓを照射して光源１から照射される光の明るさを、通行人Ｈがいないときと比較して明るく、且つ色温度を低くすることができる。
【００７３】
本実施形態の照明装置１０は、図５に示すように、所定の照射範囲Ｓ内に光を照射する光源部１を点灯させる外部の商用電源などと接続された二つの点灯回路部２と、少なくとも照射範囲Ｓ内における人（たとえば、通行人Ｈ）の存在を検知する人感検知センサ部３と、該人感検知センサ部３によって通行人Ｈの存在が検知されていないときに光源部１が照射する光を第１の色温度（たとえば、昼光色）に制御するとともに、人感検知センサ部３によって通行人Ｈの存在が検知されているときに光源部１が照射する光を上記第１の色温度よりも色温度の低い第２の色温度（たとえば、電球色）に制御する色温度制御部４とを備えている。
【００７４】
これにより、本実施形態の照明装置１０は、実施形態１の照明装置１０と同様に、通行人Ｈの存在の有無により光源部１から照射させる光の明るさを変化させるだけに限られず、光源部１から照射させる光の色温度を、それぞれの明るさでの薄明視の状態に合わせた分光分布としている。また、照明装置１０の光源部１が光を照射する照射範囲Ｓにおいて、光源部１は、それぞれの明るさでの薄明視の状態に合わせた分光分布としている。したがって、本実施形態の照明装置１０は、薄明視の状況下において、照明光による視認性がより高く、且つ消費電力を低くすることが可能とすることができる。
【符号の説明】
【００７５】
Ｓ  照射範囲
Ｈ  通行人（人）
１  光源部
１ａ  第１の光源
１ｂ  第２の光源
２  点灯回路部
３  人感検知センサ部
４  色温度制御部
１０  照明装置
【図１】
2012028272.tif 000003
【図２】
2012028272.tif 000004
【図３】
2012028272.tif 000005
【図４】
2012028272.tif 000006
【図５】
2012028272.tif 000007
【図６】
2012028272.tif 000008